(57)【要約】【課題】屋外盤の扉のハンドルが、容易に占めることが可能で、かつ無理な力が加えられない屋外盤の筐体構造を提供する。【解決手段】屋外盤の防水構造は、扉を閉める際、ツメ金具とストッパ金具とが接触する前にロッド棒と上下部ストッパ金具とが接触する構造になっているため、扉の変形やパッキンの厚み、ロッド棒の連結部の遊びによっては、ロッド棒が上下部ストッパ金具に設けられた穴を外れ、うまく扉が閉まらないケースがある。そこで、本発明では、ツメ金具を有するハンドルと、ハンドルの回転に伴ってそれぞれ上下に移動する２つのロッド棒とを備えた扉と、ツメ金具が嵌合する第１のストッパ、ロッド棒が嵌合する第２のストッパとを備えた本体とを有する。【選択図】図３Ａ
2011106180.tif 000002
【特許請求の範囲】
【請求項１】
一方の片側がヒンジで連結され、他方の片側がロック機構で連結された本体と扉とで構成された屋外盤の筐体構造であって、前記扉部は、ツメ金具を有するハンドルと、ハンドルの回転に伴ってそれぞれ上下に移動する２つのロッド棒とを備え、前記本体が、前記ツメ金具が嵌合する第１のストッパと、前記ロッド棒が嵌合する第２のストッパとを備え、前記ハンドルが回転した時に、前記ロッド棒と前記第２のストッパが篏合する前に、前記ツメ金具と前記第１のストッパが嵌合し始めるようにしたことを特徴とする屋外盤の筐体構造。
【発明の詳細な説明】
【技術分野】
【０００１】
本発明は、電子機器等を収納する屋外盤に関し、特に、映像機器を収納する屋外盤の筐体構造に関する。
【背景技術】
【０００２】
従来から、内部に電子機器等を収納し、伝送ケーブルの中継点に用いられる屋外盤がある。このような屋外盤は、主に屋外環境に設置され、ヒンジ部を有し、ヒンジ部に設けられたハンドルを回転することで開閉する扉を有する。ヒンジ部とは、屋外盤本体と扉とを連結し、扉開閉時の回転中心となる、ヒンジ金具とヒンジピンから成る部位を言う。
また、従来、特に映像機器等の電子機器を収納する屋外盤は、降雨や降雪、波浪等の波飛沫などの要因によって、内部に浸水しないように、本体と扉との間にパッキンが取り付けられた防水構造になっている。この防水構造は、ハンドルのツメ金具とストッパ金具による締め込みだけでは、扉の変形等の要因によって扉上部および扉下部に隙間ができ易く、防水構造としては不十分である。そのため、一般的に扉の内側にはツメ金具と連動するロッド棒が取り付けられており、このロッド棒を上下部ストッパ金具によって締め込むことで、扉上部および扉下部の防水性を保っている。
【０００３】
まず、従来の屋外盤の筐体構造の扉内部の構造を、図１、図２Ａ、及び図２Ｂを用いて説明する。図１は、屋外盤の一例の斜視図である。また、図２Ａと図２Ｂは、従来の屋外盤の扉内部を示した正面図及び側面断面図の一部である。図２Ａは、扉を閉めた状態でかつ扉が開閉できない状態の図で、左側が正面図扉側の一部、右側が側面断面図の一部である。図２Ｂは、扉を閉めた状態でかつ扉を開閉できる状態の図で左側が正面図扉側の一部、右側が側面断面図の一部である。１は屋内盤の本体、２は扉、３はハンドル、１１はアングル、１２はストッパ金具、１３はツメ金具３１の突き出し部、１４は上下部ストッパ金具、２１はパッキン、２２ａと２２ｂはガイド金具、３１はツメ金具、３２は連結金具、３３はロッド棒、３４はテーパ形状部、３５はハンドル３とツメ金具３１とを固定するボルト、３７ａと３７ｂは連結点、３９はハンドル３の回転中心軸である。なお、図２Ａ、図２Ｂにおいて、上下方向は紙面の上下方向と一致する。
図２Ａ、図２Ｂにおいて、屋外盤はヒンジ部を有し、屋外盤の扉２には、ハンドル３及びツメ金具３１が取り付けられ、ハンドル３を回すと、その回転に連動して、ツメ金具３１も回転する。また、ツメ金具３１には、連結金具３２及びロッド棒３３が取り付けられ、それぞれの連結部は、フレキシブルに回転するようになっている。
また、扉２の裏側には、ガイド金具２２ａ及び２２ｂが取り付けられ、ガイド金具２２ａ及び２２ｂの穴にロッド棒３３を通すことで、ロッド棒３３を扉２の裏側に固定する構造としている。
また、本体１の機器取付アングル１１には、ストッパ金具１２及び上下部ストッパ金具１４が取り付けられ、ストッパ金具１２は、ツメ金具３１を引っ掛けることで、扉２を本体１に向かって締め付ける。さらに、上下部ストッパ金具１４は、ロッド棒３３を差し込むことで、扉２を本体１に向かって締め付ける。
また、扉２の裏側の外周部には、パッキン２１が貼り付けられており、本体１に押し当てて圧縮されることにより、屋外盤の防水を保っている。図２Ａには、扉２を閉めた状態の扉２の内部の構造を示す。この場合、ハンドル３は、０°位置にあるとする。
また、図２Ｂには、ハンドル３を回して、ツメ金具３１をストッパ金具１２からはずし、ロッド棒３３を上下部ストッパ金具１４から抜き、扉２を開閉できる状態を示す。この場合、ハンドル３は、９０°位置にある。なお、この場合、図１におけるハンドル３は、ほぼ９０°の位置にある。
【先行技術文献】
【特許文献】
【０００４】
【特許文献１】特開２０００−２４０３６７号公報
【特許文献２】特開２０００−１７０４５７号公報
【特許文献３】特開平１１−１４６５１０号公報
【発明の概要】
【発明が解決しようとする課題】
【０００５】
ところで、このような従来のロッド棒による屋外盤の防水構造は、扉を閉める際、ツメ金具とストッパ金具とが接触する前にロッド棒と上下部ストッパ金具とが接触する構造になっているため、扉の変形やパッキンの厚み、ロッド棒の連結部の遊びによっては、ロッド棒が上下部ストッパ金具に設けられた穴を外れ、うまく扉が閉まらないケースがある。この場合、扉上部もしくは扉下部を手で圧迫しながらハンドルを回すことでうまく扉が閉まるようになる。しかし、そのようなことをしないで、無理矢理ハンドルを回してしまうと、ハンドルが破損する恐れがある。また、防水の仕様が厳しい場合には、パッキンを通常以上に圧縮して仕様を満たす（以降、“増し締め”と称する）ようにするのが一般的である。しかし、パッキンを通常以上に圧縮するようにすると、より一層上記の問題が起こり易くなり、場合によっては扉が閉まらなくなる。従って、増し締めを行うことが困難である。
【０００６】
特許文献１には、ピニオンとラックの係合によりボックス本体と扉に位置するパッキンを全周に渡ってほぼ均一に変形できる扉用締付けロック装置が開示されている。また、特許文献２には、垂直ロッドと水平ロッドとロック金具による閉鎖操作において、せん断や撓み変形を起こさずにパッキングを的確に締付けることができる扉用締付けロック装置が開示され、特許文献３には、箱体のねじれにより扉体に段差が生じても防水片が取付けられている扉が変形したり破損することがない電気機器収納用箱体が開示されている。
【０００７】
しかし、特許文献１〜特許文献３には、扉を閉める際、うまく扉が閉まらないケースについては、特に考慮されていない。
本発明は、上記の問題に鑑み、屋外盤の扉のハンドルが、容易に占めることが可能で、かつ無理な力が加えられない屋外盤の筐体構造を提供することを目的とする。
【課題を解決するための手段】
【０００８】
上記の課題を解決するために、本発明の屋外盤の筐体構造は、ハンドルを回す際、ロッド棒と上下部ストッパ金具が接触するよりも先に、ツメ金具とストッパ金具とが接触し、締め込むことができる構造とする。即ち、扉の変形やロッド棒の連結部の遊びに左右され難いハンドル部分を先に締め込むことにより、パッキンの圧縮幅分の余裕を生み出し、ロッド棒が上下部ストッパ金具の穴に入り易くしたものである。
即ち、本発明の屋外盤の筐体構造は、一方の片側がヒンジで連結され、他方の片側がロック機構で連結された本体と扉とで構成された屋外盤の筐体構造であって、前記扉は、ツメ金具を有するハンドルと、ハンドルの回転に伴ってそれぞれ上下に移動する２つのロッド棒とを備え、前記本体が、前記ツメ金具が嵌合する第１のストッパと、前記ロッド棒が嵌合する第２のストッパとを備え、前記ハンドルが回転した時に、前記ロッド棒と前記第２のストッパが篏合する前に、前記ツメ金具と前記第１のストッパが嵌合し始めるようにしたものである。
また好ましくは、上記発明の屋外盤の筐体構造において、前記屋外盤は、映像機器が収納される。
【発明の効果】
【０００９】
本発明によれば、屋外盤の扉のハンドルが固すぎたり、閉めることができなかったりする危険性を回避することができる。またこれは、ハンドルに無理な力が加わることを防ぐことにもなるため、ハンドルの破損を防ぐこともできる。
【図面の簡単な説明】
【００１０】
【図１】屋外盤の一例の斜視図である。
【図２Ａ】従来の屋外盤の扉内部を示した正面図及び側面断面図の一部である。
【図２Ｂ】従来の屋外盤の扉内部を示した正面図及び側面断面図の一部である。
【図３Ａ】本発明による構造の扉内部の正面図、および側面断面図である。
【図３Ｂ】本発明による構造の扉内部の正面図、および側面断面図である。
【図４Ａ】従来構造と本発明による構造との、開閉時の比較図である。
【図４Ｂ】従来構造と本発明による構造との、開閉時の比較図である。
【図５】本発明のＹ座標位置の二次曲線状の推移の一実施例を説明するための図である。
【発明を実施するための形態】
【００１１】
本発明は、ロッド棒と上下部ストッパ金具とが接触するよりも先に、ツメ金具１とストッパ金具とが接触する構造を実現する。即ち、本発明は、例えば、ハンドルを回転することによって、ヒンジ部で開閉する扉を有し、ハンドルは、扉に対して、９０°回転し、扉裏面の外周部にはパッキンを有し、ハンドルのツメ金具には連結金具とロッド棒を有し、ツメ金具とロッド棒によって本体と扉とを締め付け、浸水が考えられる環境でも防水性が保たれる屋外盤の筐体構造である。
以下、本発明の実施の形態について、図面を参照しながら説明する。以下に参照する各図においては、同等部分は同一符号により示し、できるだけ説明を省略する。
【００１２】
次に、本発明の実施の形態について、図１、図３Ａ、及び図３Ｂを用いて説明する。図３Ａ及び図３Ｂは、本発明による構造の扉２の内部の正面図、及び側面断面図である。図３Ａは、扉を閉めた状態でかつ扉を開けない状態の図で左側が正面図扉側の一部、右側が側面断面図の一部である。図３Ｂは、扉を閉めた状態でかつ扉を開閉できる状態の図で左側が正面図扉側の一部、右側が側面断面図の一部である。１３’は突き出し部、２２ａ’はガイド金具、３１’はツメ金具、３３’はロッド棒、３５’はハンドル３とツメ金具３１とを固定するボルト、３６はスペーサ、３７ｂ’は連結点である。他は図２Ａ、図２Ｂと同様である。また、図３Ａ、図３Ｂにおいて、上下方向は紙面の上下方向と一致する。
【００１３】
図１における屋外盤は、通常時は、扉２は、本体１と密閉空間を形成し、閉じられた状態となっている。しかし、例えば、映像機器を収納し、設定変更、故障、機器の交換等によって、屋外盤を開閉するために、扉２が本体１に取り付けられているものである。扉２には、ハンドル３が設けられ、０°から、図１の９０°の状態まで回転するようにしている。ハンドル３には、扉２の内側にヒンジ部が設けられ、ハンドル３の回転状態に応じて、扉２のロック、及び開閉がなされる。なお扉２の開閉は、人力でハンドルを操作することが多い。
【００１４】
図３Ａ、図３Ｂでは、ロッド棒３３’と上下部ストッパ金具１４が接触するよりも先に、ツメ金具３１とストッパ金具１２とが接触する構造を実現するために、まず、ストッパ金具１２の突き出し部１３’を伸ばし、ツメ金具３１’との接触がより早くなるようにする。
この場合、突き出し部１３’を伸ばす長さは、ツメ金具３１’が突き出し部１３’の側面からではなく、下面から接触することができる長さとする。
【００１５】
また、ロッド棒３３’が上下に移動し始めるタイミングを遅らせるために、ツメ金具３１’と連結金具３２との連結点３７ｂ’を移動し、ハンドル３を９０°位置から０°位置へと回した際の、連結点３７ａ及び３７ｂ’のＹ座標位置の推移が二次曲線状となるようにする。
図５に、二次曲線の一実施例を示す。図５は、本発明のＹ座標位置の二次曲線状の推移の一実施例を説明するための図である。図５（ａ）は、ツメ金具３１’が、連結点３７ａを中心として回転した場合の回転角度を横軸として、連結点３７ｂのＹ座標位置の推移を縦軸に示す図である。図５（ｂ）には、図５（ａ）の横軸における回転角０°の時のツメ金具３１’の状態と、回転角９０°の時のツメ金具３１”の状態とを示す。矢印５１と逆方向にツメ金具が、０°から９０°に回転し、それに伴なって、連結点３７ｂ’から連結点３７ｂ”のようにＹ軸座標が推移する。
この場合、ロッド棒３３’が、開閉時に、左右方向と前後方向にずれず、上下動だけさせるためのガイド金具２２’は、図３Ａ、図３Ｂの正面図に示すように、従来図の図２Ａ、図２Ｂよりも、扉の内側にずらして設置する。
また、上下ストッパ部１４を従来と同じ位置にしているため、上下ストッパ部１４の近くのガイド金具２２ｂも従来と同じ位置とし、ロット棒３３’の曲がりを大きくしている。
【００１６】
この結果、ハンドル３が回転した時に、ロッド棒３３’とストッパ金具１４とが篏合する前に、ツメ金具３１’の突き出し部とストッパ金具１２の突き出し部１３’とが嵌合し始めるようにしたものである。
なお、従来構造の連結点３７ａ、３７ｂのＹ座標位置は、ほぼ一次曲線状に推移する構造になっている。即ち、ロッド棒３３のＸ座標位置を左右方向にを移動することによっても、同様の効果が得られる。
例えば、上下ストッパ部１４の近くのガイド金具２２ｂも位置をずらし、ロット棒３３’の曲がりを従来と同様にしても良い。さらには、上下ストッパ部１４の近くのガイド金具２２ｂも位置をずらし、ロット棒３３’の曲がりも変更しても良い。
【００１７】
図１、図４Ａ、及び図４Ｂによって、本発明の他の実施例を説明する。図４Ａ及び図４Ｂは、本発明による構造の扉２の内部の正面図、及び側面断面図である。図４Ａは、従来の扉の開閉途中の状態の図で左側が正面図扉側の一部、右側が側面断面図の一部である。図４Ｂは、本発明の扉の開閉途中の状態の図で左側が正面図扉側の一部、右側が側面断面図の一部である。また、図４Ａにおいて、上下方向は紙面の上下方向と一致する。
図４Ｂの実施例は、図３Ａ、図３Ｂで示した実施例と同様の構造を有する。ただし、ハンドルの回転時（扉の開閉途中）に、ハンドルとツメ金具とを固定するボルトに干渉する恐れツメ金具と連結金具との間にスペーサを設けたものである。３６’はスペーサである。
【００１８】
また、図３Ａ、図３Ｂの実施例では、スペーサ３６がツメ金具３１’の上下端側に設けられている。このため、ロッド棒３３’のＸ座標位置を移動すると、図４Ａのように、ハンドル３の回転時に、ハンドル３とツメ金具３１’とを固定するボルト３５に干渉する恐れがある。即ち、経時変化や初期不良で、ぶつかって扉の開閉に支障が出るかもしれない。これを避けるため、図４Ｂの実施例では、ツメ金具３１’と連結金具３２との間で、かつ、ハンドル３の回転中心軸３９とほぼ同軸にスペーサ３６’を設ける。
【００１９】
また、好ましくは、連結金具３２の長さを調節し、ハンドル３を回した際に、ツメ金具３１’や連結金具３２同士で干渉しないようにする。
また、好ましくは、ロッド棒３３’の長さは、ツメ金具３１’がストッパ金具１２に接触した時点で、ロッド棒３３’と上下部ストッパ金具１４との間隔を所定値以上空けることが望ましい。例えば、ツメ金具３１’がストッパ金具１２と接触してから、ツメ金具３１’部分の十分な締め付けが得られるように、ストッパ金具１２にＣ３の面取りが加工されている場合に、最低でも３ｍｍのストロークが必要になる。それに対して、ロッド棒３３’と連結金具３２とのガタを考慮して、ロッド棒３３’と上下部ストッパ金具１４との間隔を、例えば、５ｍｍとする。
また、好ましくは、ロッド棒３３’と上下部ストッパ金具１４が接触後、ハンドル３が０°位置に回転するまでのロッド棒３３’のストロークは、ロッド棒３３’の先端がテーパ形状になっていることを考慮して、テーパ形状部３４が完全に上下部ストッパ金具１４の穴に入りきるストロークとする。
【００２０】
上記実施例によれば、屋外盤の扉の防水構造に用いられるロッド棒が、扉の開閉時に、上下部ストッパ金具に干渉しにくくなり、扉の裏側のパッキンを増し締めすることも容易となる。
また、ハンドルに無理な力が加わることを防止することができるため、ハンドルの破損を防ぐことができる。
【符号の説明】
【００２１】
１：本体、  ２：扉、  ３：ハンドル、  １１：アングル、  １２：ストッパ金具、  １３、１３’：突き出し部、  １４：上下部ストッパ金具、  ２１：パッキン、  ２２ａ、２２ｂ、２２ａ’：ガイド金具、  ３１、３１’：ツメ金具、  ３２：連結金具、  ３３、３３’：ロッド棒、  ３４：テーパ形状部、  ３５：ボルト、  ３６、３６’：スペーサ、  ３７ａ、３７ｂ、３７ｂ’：連結点、  ３９：回転中心軸。
【図１】
2011106180.tif 000003
【図２Ａ】
2011106180.tif 000004
【図２Ｂ】
2011106180.tif 000005
【図３Ａ】
2011106180.tif 000006
【図３Ｂ】
2011106180.tif 000007
【図４Ａ】
2011106180.tif 000008
【図４Ｂ】
2011106180.tif 000009
【図５】
2011106180.tif 000010